(57)【特許請求の範囲】
【請求項１】
受託番号ＦＥＲＭ  Ｐ−２２２７４で特定されるブラシカ  オレラセア種植物またはその後代系統であることを特徴とする、ブラシカ  オレラセア種植物。
【請求項２】
茎長の短いハボタン品種と同じ条件で栽培した場合、同じ栽培期間経過時において、茎長が、前記ハボタン品種の茎長と比較して１．３倍以上長くなり、
受託番号ＦＥＲＭ  Ｐ−２２２７４で特定されるブラシカ  オレラセア種植物またはその後代系統であることを特徴とするブラシカ  オレラセア種植物。
【請求項３】
第１の親系統と第２の親系統とを交雑することにより、後代系統のブラシカ  オレラセア種植物を得る交雑工程を含み、
前記第１の親系統が、請求項１または２記載のブラシカ  オレラセア種植物であり、
前記第２の親系統が、ブラシカ  オレラセア（Brassica oleracea）種植物であることを特徴とするブラシカ  オレラセア種植物の製造方法。
【請求項４】
さらに、選抜工程を含み、
前記選抜工程が、前記交雑工程で得られた後代系統を、茎長の短いハボタン品種と同じ条件で栽培し、同じ栽培期間経過時において、茎長が、前記ハボタン品種の茎長と比較して１．３倍以上長いものを選抜する工程である、請求項３記載の製造方法。
【請求項５】
さらに、選抜工程を含み、
前記選抜工程が、前記交雑工程で得られた後代系統を栽培し、前記後代系統の葉表面に矮化剤を散布し、前記矮化剤の散布から所定日数経過時における茎長を測定し、同じ条件で栽培および前記矮化剤の散布を行った茎長の短いハボタン品種の茎長と比較して１．３倍以上長いものを選抜する工程であり、
前記矮化剤の散布を、前記後代系統の播種を１日目として、４日目から１０日目までの期間中に行い、
前記茎長の測定を、前記矮化剤の散布を１日目として、１０日目から２０日目までの期間に行う、請求項３または４記載の製造方法。
【請求項６】
前記矮化剤が、Ｎ−（ジメチルアミノ）−スクシンアミド酸である、請求項５記載の製造方法。
【発明の詳細な説明】
【技術分野】
【０００１】
本発明は、ブラシカ  オレラセア種植物およびその製造方法に関する。
【背景技術】
【０００２】
ブラシカ  オレラセア種植物（Brassica oleracea）の中でも、いわゆるハボタン（Brassica oleracea  var.  acephala  f.  tricolor）は、茎長が長く、葉が白色や紅色に着色して牡丹のような外観である。このため、お正月の生け花等、特に観賞用植物としての需要が高い。
【０００３】
しかし、ハボタンは、生育が遅いため、十分な茎長を有し且つ葉が着色する段階にまで栽培して１２月中旬頃に出荷するには、７月中旬頃に播種を行い、約１５０日程度の栽培期間を要する。しかしながら、近年の夏期の高温化により、発芽の不良および生育障害が生じ、品質低下が問題視されている（非特許文献１）。一方、高温回避のためには、播種期を遅らせることが考えられるが、播種期を遅らせると、１２月中旬の出荷時までに十分な茎長を確保することが困難である（非特許文献２）。また、夏期の播種は、生産者にとっても労力を要するものである。
【先行技術文献】
【非特許文献】
【０００４】
【非特許文献１】農林水産省生産局（平成２０年）  「平成１９年夏季高温障害対策レポート」
【非特許文献２】和歌山県農林水産部農林水産総務課研究推進室  平成２４年度和歌山県農林水産試験研究成果情報（平成２５年）  「切り花ハボタンの切り花長確保のための定植時期と電照栽培による草丈伸長効果」
【発明の概要】
【発明が解決しようとする課題】
【０００５】
そこで、本発明は、茎の伸長が速いブラシカ  オレラセア種植物およびその製造方法の提供を目的とする。
【課題を解決するための手段】
【０００６】
前記目的を達成するために、本発明のブラシカ  オレラセア種植物は、茎長の短いハボタン品種と同じ条件で栽培した場合、同じ栽培期間経過時において、茎長が、前記ハボタン品種の茎長と比較して１．３倍以上長くなることを特徴とする。
【０００７】
本発明のブラシカ  オレラセア種植物の製造方法は、第１の親系統と第２の親系統とを交雑することにより、後代系統のブラシカ  オレラセア種植物を得る交雑工程を含み、
前記第１の親系統が、前記本発明のブラシカ  オレラセア種植物であり、
前記第２の親系統が、ブラシカ  オレラセア（Brassica oleracea）種植物であることを特徴とする。
【発明の効果】
【０００８】
本発明のブラシカ  オレラセア種植物は、流通しているブラシカ  オレラセア種植物と比較して、茎の伸長が速い。このため、播種から出荷までの期間を短縮できる。また、年末の出荷の場合、ブラシカ  オレラセア種植物は、通常、十分な茎長を得るには、７月中旬頃の盛夏期に播種する必要があるが、本発明の場合、前述のように、播種から出荷までの期間を短縮できるため、盛夏期を過ぎた９月頃に播種しても、年末には十分な茎長を得ることができる。このため、本発明によれば、ブラシカ  オレラセア種植物の製造における労力を低減し、市場への供給が容易となる。
【図面の簡単な説明】
【０００９】
【図１】図１は、胚軸長、茎長を説明する図である。
【図２】図２は、実施例２における本発明のハボタン植物の幼苗を示す写真である。
【図３】図３は、実施例３における親系統Ａ−１の製造スキームを示す図である。
【図４】図４は、実施例４における本発明ブラシカ  オレラセア植物を示す写真である。
【図５】図５は、実施例５における本発明のブラシカ  オレラセア植物の日本の温暖地での播種から出荷期を示す。
【発明を実施するための形態】
【００１０】
（１）ブラシカ  オレラセア種植物
本発明のブラシカ  オレラセア種植物は、前述のように、茎長の短いハボタン品種と同じ条件で栽培した場合、同じ栽培期間経過時において、茎長が、前記ハボタン品種の茎長と比較して１．３倍以上長くなることを特徴とする。
【００１１】
本発明において、「ブラシカ  オレラセア種植物」（Brassica oleracea）は、特に制限されず、例えば、以下のものがあげられる。前記ブラシカ  オレラセア種植物は、例えば、観賞用である。
ハボタン（Brassica oleracea  var.  acephala  f.  tricolor）
ハボタン変種（Brassica oleracea  L.  var.  acephala  DC.）
ケール変種（Brassica oleracea  L.  convar.  acephala  (DC)  Alef.  var.  sabellica  L.）
飼料用ケール変種（Brassica oleracea  L.  convar.  acephala  (DC)  Alef.  var.  viridis  L.）
カリフラワー変種（Brassica oleracea  L.  convar.  botrytis  (L.)  Alef.  var.  botrytis）
ブロッコリー変種（Brassica oleracea  L.  convar.  botrytis  (L.)  Alef.  var.  cymosa  Duch.）
キャベツ亜種（Brassica oleracea  L.  convar.  capitata  (L.)  Alef.）
メキャベツ（Brassica oleracea  (L.)  var.  gemmifera  Zenker）
【００１２】
本発明において、「植物」は、植物全体を示す植物個体および前記植物個体の部分のいずれの意味であってもよい。前記植物個体の部分は、例えば、器官、組織、細胞または栄養繁殖体等があげられ、いずれでもよい。前記器官は、例えば、花弁、花冠、花、葉、種子、果実、茎、根等があげられる。前記組織は、例えば、前記器官の部分である。前記植物体の部分は、例えば、一種類の器官、組織および／または細胞でもよいし、二種類以上の器官、組織および／または細胞でもよい。
【００１３】
本発明において、前記茎長の短いハボタン品種（以下、「比較ハボタン品種」ともいう）との比較を行うための前記栽培条件は、特に制限されず、同じ栽培条件であればよい。前記比較のための栽培条件は、例えば、以下のように例示できる。
【００１４】
本発明において、前記比較ハボタン品種との茎長の比較は、同じ栽培条件で栽培し、同じ栽培期間経過時に行う。前記比較を行う栽培期間経過時は、特に制限されず、例えば、以下のように例示できる。
【００１５】
本発明において、前記茎長とは、例えば、地際部から茎頂部（茎の生長点部分）までの長さを意味する。本発明のブラシカ  オレラセア種植物の茎長は、前記比較ハボタン品種の茎長と比較して、前述のように１．３倍以上であり、例えば、１．４倍以上、１．５倍以上、１．８倍以上である。
【００１６】
本発明において、前記茎長の比較は、例えば、苗の段階で行ってもよいし、圃場や栽培容器に移植、定植した後の段階で行ってもよいし、葉が着色した段階で行ってもよい。ここでいう葉が着色した段階とは緑色以外の葉色が目視で確認できる状態を指す。具体例として、播種を１日目として、約２０日目から３５日目に移植および定植を行い、約６０日目以上（例えば、９０日目以上）で着色始める場合、本発明における前記茎長の比較は、例えば、播種を１日目として、１０日目から３５日目までの期間、３６日目から６０日目までの期間、６１日目から１００日目までの期間に行う。
【００１７】
本発明において、前記比較ハボタン品種との茎長の比較を行うにあたって、前記栽培は、例えば、葉表面に矮化剤を散布する工程を含んでもよい。本発明のブラシカ  オレラセア種植物は、前記矮化剤によっても茎の伸長が阻害され難い。このため、本発明のブラシカ  オレラセア種植物は、例えば、前記矮化剤の散布を含む同条件の栽培を行った場合、同じ栽培期間経過時において、茎長が、前記比較ハボタン品種の茎長と比較して１．３倍以上長くなる。前記茎長の倍率は、例えば、１．４以上、１．５倍以上、１．８倍以上である。
【００１８】
前記矮化剤の散布の時期は、特に制限されず、例えば、播種を１日目として、４日目から１０日目までの期間中、１１日目から３５日目までの期間中に行う。一般的に、播種を
１日目として、発芽後に子葉が展開するのが、約３日目であるため、矮化剤の撒布は、前述のように４日目以降であることが好ましい。本前記矮化剤の散布は、例えば、１個体に対して、１回でもよいし、複数回でもよい。複数回の場合、例えば、１０日ごとに、１日あたり１回の散布を行う。
【００１９】
前記矮化剤は、特に制限されず、例えば、有効成分として、Ｎ−（ジメチルアミノ）−スクシンアミド酸（ダミノジッドともいう）があげられ、市販品として、例えば、ビーナイン（商標、商品名、日本曹達株式会社）が例示できる。散布に使用する前記矮化剤における前記有効の濃度は、例えば、０．１〜０．２ｗ／ｖ％、０．３〜０．４ｗ／ｖ％、０．５〜０．８ｗ／ｖ％である。本発明におけるブラシカ  オレラセア種植物が、例えば、ハボタンの場合、前記矮化剤の量は、例えば、前述のような範囲が好ましい。他方、ハボタン以外の場合、前記矮化剤の量は、例えば、０.８〜０．０１６ｗ／ｖ％である。
【００２０】
前記矮化剤の散布は、特に制限されず、例えば、播種した後、得られた苗の葉表面に矮化剤を散布する。１個体に対する１回の前記矮化剤の散布量は、特に制限されず、葉表面の面積葉面積１ｃｍ２あたり、例えば、０．５〜３ｍｇ、３〜１０ｍｇ、１０〜２０ｍｇである。
【００２１】
前記矮化剤を散布した場合、茎長の比較は、例えば、前記矮化剤の散布を１日目として、５日目から９日目までの期間、１０日目から２０日目までの期間、２１日目から３５日目までの期間に行う。
【００２２】
本発明のブラシカ  オレラセア種植物について、茎長の伸長速度以外の特徴、例えば、形質的、生態的特徴等は、特に限定されない。
【００２３】
本発明のブラシカ  オレラセア種植物は、例えば、一例として、受託番号ＦＥＲＭ  Ｐ−２２２７４で寄託されたハボタン科植物またはその後代系統があげられる。寄託の情報を以下に示す。
寄託の種類：国内寄託
寄託機関名：独立行政法人製品評価技術基盤機構  特許生物寄託センター
あて名：日本国  〒２９２−０８１８  千葉県木更津市かずさ鎌足２−５−８  １２０号室
受託番号：ＦＥＲＭ  Ｐ−２２２７４
識別のための表示：Ｔａｋｉｉ  ６
受領日：２０１４年５月３０日
【００２４】
本発明において、前記後代系統とは、例えば、自殖交雑後代でもよいし、戻し交雑後代でもよい。
【００２５】
前記比較ハボタン品種は、特に制限されず、例えば、ハボタン品種初夢、ハボタン品種白寿等があげられる。
【００２６】
（２）ブラシカ  オレラセア種植物の製造方法
本発明のブラシカ  オレラセア種植物の製造方法は、前述のように、第１の親系統と第２の親系統とを交雑することにより、後代系統のブラシカ  オレラセア種植物を得る交雑工程を含み、
前記第１の親系統が、前記本発明のブラシカ  オレラセア種植物であり、
前記第２の親系統が、ブラシカ  オレラセア（Brassica oleracea）種植物であることを特徴とする。
【００２７】
本発明によれば、例えば、茎の伸長が速いブラシカ  オレラセア種植物を得ることができる。本発明の製造方法は、前記本発明のブラシカ  オレラセア種植物を、第１の親系統として使用することが特徴であって、その他の工程および条件は、何ら制限されない。本発明の製造方法は、例えば、育成方法または育種方法ということもできる。
【００２８】
本発明において、前記第１の親系統と前記第２の親系統との交雑は、例えば、同一個体間の交雑（正自家受粉）でもよいし、同一クローン個体間または近交系で維持されている系統の個体間の交雑（準自家受粉）でもよいし、異なる個体間の交雑（他家受粉）でもよい。前記正自家受粉の場合、前記第１の親系統および前記第２の親系統は、例えば、いずれか一方が同一個体における雌器官であり、他方が、同一個体における花粉である。前記準自家受粉とは、例えば、自家不和合性に関するＳ遺伝子型が同じである場合があげられ、前記他家受粉は、例えば、自家不和合性に関するＳ遺伝子型が異なる場合があげられる。ブラシカ  オレラセア種植物の交雑においては、前記第１の親系統と前記第２の親系統とが、異なるＳ遺伝子型であり、前記交雑が他家受粉であることが好ましい。
【００２９】
本発明において、前記第１の親系統は、前記本発明のブラシカ  オレラセア種植物であり、例えば、前述のような受託番号ＦＥＲＭ  Ｐ−２２２７４で寄託されたハボタン植物またはその後代系統が使用できる。
【００３０】
本発明の製造方法は、例えば、前記交雑工程の後、さらに、前記交雑工程で得られた後代系統を育成する工程を有してもよい。
【００３１】
本発明の製造方法は、さらに、前記交雑工程において得られた後代系統について、茎長を確認し、所定の伸長能を有するものを選抜する工程を含んでもよい。
【００３２】
前記選抜工程における茎の伸長能の確認は、例えば、前記比較ハボタン品種との比較により行うことができ、前記本発明のブラシカ  オレラセア種植物における説明を援用できる。
【００３３】
具体的には、本発明の製造方法は、例えば、さらに選抜工程を含み、前記選抜工程が、前記交雑工程で得られた後代系統を、前記比較ハボタン品種と同じ条件で栽培し、同じ栽培期間経過時において、茎長が、前記比較ハボタン品種の茎長と比較して１．３倍以上長いものを選抜する工程である。
【００３４】
また、前記選抜工程は、例えば、矮化剤の散布を含む工程でもよい。具体的には、本発明の製造方法は、例えば、さらに、選抜工程を含み、前記選抜工程が、前記交雑工程で得られた後代系統を栽培し、前記後代系統の葉表面に矮化剤を散布し、前記矮化剤の散布から所定日数経過時における茎長を測定し、同じ条件で栽培および前記矮化剤の散布を行った前記比較ハボタン品種の茎長と比較して１．３倍以上長いものを選抜する工程であり、前記矮化剤の散布を、前記後代系統の播種を１日目として、４日目から１０日目までの期間中に行い、前記茎長の測定を、前記矮化剤の散布を１日目として、１０日目から２０日目までの期間に行う。
【００３５】
前記選抜工程は、前記茎の伸長速度の特性に加え、さらにその他の特性による選抜を行ってもよい。前記特性としては、例えば、一般的なブラシカ  オレラセア種植物、系統、品種の選抜等と同様に行えばよく、具体例としては、葉の形、大きさ、葉柄の主茎に対する角度、葉色の変色状態等があげられる。
【００３６】
本発明のブラシカ  オレラセア種植物は、例えば、前記本発明の製造方法により得ることができる。
【実施例】
【００３７】
以下、実施例を用いて本発明を詳細に説明するが、本発明は実施例に記載された態様に限定されるものではない。
【００３８】
またハボタンの葉色の変化は、低温に遭遇することで、白色系品種では生長点付近の未発達の葉が、葉緑素合成が阻害されたまま白色葉として発達するものであり、赤色、紅色系品種ではアントシアニン色素合成が促進されるためであることは一般的に知られている。前記のハボタンの葉色変化はおおよそ平均気温が１５℃、最低気温が１０℃以下になる時期を中心に生じ始めることも広く知られている。
【００３９】
［実施例１］
本発明のハボタン植物である系統Ａ（Brassica oleracea  var.  acephala  f.  tricolor、受託番号ＦＥＲＭ  Ｐ−２２２７４）と、市販のハボタン品種「白寿」（品種登録番号第１５７０号、有限会社石井育種場）、「初夢」（タキイ種苗株式会社）との栽培期間中の茎長を比較した。
【００４０】
（実施例１−１）
育苗時における、系統Ａと、白寿および初夢との茎長比較を行った。
【００４１】
９月１日に、２００穴のセル成型苗育苗トレイ（商品名：タキイ根巻防止セルトレイＭ型、タキイ種苗株式会社）３枚に、培土（商品名：たねまき培土、タキイ種苗株式会社製）を充填し、各トレイに、系統Ａ、白寿および初夢の種子を、それぞれ２００粒ずつ播種した。そして、前記セル成型苗の慣行の育苗方法に準じて、それぞれを育苗した後、胚軸長および茎長を確認した。播種後２日間、約２０℃の恒温室で管理し、その後、農業用ビニールハウス内で育苗した。前記育苗トレイ中の培土への灌水は、以下のように行った。すなわち、晴天時には、１日２回、前記トレイの底穴から水がしみ出る程度に十分に行い、曇雨天時には、苗の萎凋程度等の状態を見て、適宜灌水した。日長管理は、自然状態とし、外気温は、下記表１に示す通りとした。
【００４２】
【表１】
0006373117.tif 000002
【００４３】
播種から２０日後に、胚軸長および茎長を確認した結果を、表２に示す。また、図１に、幼苗の写真を示し、胚軸長および茎長の意味を説明する。図１に示すように、胚軸とは、子葉より下部の茎を意味し、胚軸長は、地際部から子葉までの茎長を意味し、茎長は、胚軸長と、子葉より上部の茎の長さとを含めた長さを意味する。
【００４４】
【表２】
0006373117.tif 000003
【００４５】
（実施例１−２）
定植１ヶ月後および収穫時における、系統Ａと、白寿および初夢との茎長比較
【００４６】
農業用ビニールハウス内の耕土に、１０アールあたり、基肥として窒素成分８ｋｇ、リン酸成分６ｋｇ、カリウム成分８ｋｇおよび苦石灰７０ｋｇを添加した後、耕耘し、幅１５０ｃｍの畝を作った。播種２５日後の各系統品種の苗を６０株ずつ、株間１２ｃｍ、５条植えで定植した（９月２５日）。そして、定植から１か月後の１０月２５日と、定植から約３か月後の１２月２０日の収穫時に、これらの茎長およびその比率を測定した。これらの結果を、下記表３および４に示す。
【００４７】
【表３】
0006373117.tif 000004
【００４８】
【表４】
0006373117.tif 000005
【００４９】
前記表３および４に示すように、本発明のハボタン植物である系統Ａは、同じ条件の栽培期間において、初夢および白寿に比べて、茎長が１．３倍以上長かった。
【００５０】
［実施例２］
矮化剤ビーナイン処理を行い、系統Aと、白寿および初夢の茎長比較を行った。
【００５１】
９月１日に、２００穴のセル成型苗育苗トレイ（商品名：タキイ根巻防止セルトレイ  Ｍ型、タキイ種苗株式会社製）２枚に、培土（商品名：たねまき培土、タキイ種苗株式会社製）を充填し、各トレイに、系統Ａ、初夢（タキイ種苗株式会社）、白寿（品種登録番号第１５７０号、有限会社石井育種場）、紅寿（品種登録番号第１５６９号、有限会社石井育種場）の種子を、それぞれ５０粒ずつ播種した。そして、これらの育苗は、実施例１と同様に行った。播種から７日目に、前記育苗トレイ２枚のうち一方を、矮化剤未処理群、他方を、矮化剤処理群とし、前者には、矮化剤の散布を行った。前記矮化剤は、ビーナイン（商標）顆粒水溶剤（商品名、日本曹達株式会社製、ダミジット含量８０ｗ/ｗ％）を水道水に２００倍となるように溶解したものを使用した。前記矮化剤の散布は、噴霧器を使用して、栽培した植物体の葉表面に行い、葉１ｃｍ２あたりダミジット７．２±２．２ｍｇ／ｃｍ２とした。
【００５２】
播種から２０日目に、前記矮化剤未処理群と前記矮化処理群の胚軸長および茎長を測定した。これらの結果を、表５に示す。表５において、（Ａ）は、前記未処理群の結果であり、（Ｂ）は、前記矮化処理群の結果である。また、図２に、前記系統Ａおよび初夢について、播種から２０日目における前記未処理群と前記矮化処理群の写真を示し、（Ａ）が、前記未処理群であり、（Ｂ）が、前記矮化処理群である。
【００５３】
【表５】
0006373117.tif 000006
【００５４】
前記表５に示すように、前記未処理群においても、前記矮化処理群においても、本発明のハボタン植物である系統Ａの茎長は、初夢の１．３倍以上であった。特に、表５の（Ｂ）に示すように、矮化処理群の場合、それぞれの未処理群と比較して、初夢、白寿および紅寿は、著しく茎長が低下した。これに対して、系統Ａは、初夢の２．６２倍もの茎長を示した。
【００５５】
［実施例３］
系統Ａと既存品種（固定種）を利用して、親系統となる後代を製造した。
【００５６】
（１）親系統Ａ−１の製造
図３のスキームに示すようにして、親系統Ａ−１を製造した。すなわち、系統Ａとハボタン品種「瀬戸の日の出」（白色系、品種登録番号３４６７号、タキイ種苗株式会社）とを交雑し、Ｆ１を製造した。次に、前記Ｆ１に「瀬戸の日の出」を戻し交雑して、ＢＣ１を製造し、さらに、前記ＢＣ１に「瀬戸の日の出」を戻し交雑して、ＢＣ２を製造した。前記ＢＣ２を自殖し、前記ＢＣ２のＦ２種子（ＢＣ２Ｆ２）を採種した。
【００５７】
得られたＢＣ２Ｆ２種子１５０粒および「瀬戸の日の出」の種子５０粒を、それぞれ、実施例２と同様にして、育苗し、また、播種から７日目に矮化剤処理を行った。矮化剤処理後１４日目（播種から２１日目）に、茎長を測定し、ＢＣ２Ｆ２について、「瀬戸の日の出」の茎長（２０株の平均）と比べて２倍以上の茎長を示し、かつ、苗の葉形等からハボタン親系統として所望の特性（００３４段落参照）を持つ６個体を選抜した。そして、前記選抜個体（ＢＣ２Ｆ３）の自殖を２回繰り返すことによって、最終的に、遺伝的にほぼ固定された１系統ＢＣ２Ｆ５を製造し、親系統Ａ−１とした。
【００５８】
（２）親系統Ａ−２の製造
ハボタン品種「瀬戸の日の出」に代えて、「瀬戸の舞姫」（紅色系、品種登録番号５１４５号、タキイ種苗株式会社）を使用した以外は、前記（１）と同様にして、系統Ａとの交雑を行い、親系統Ａ−２（紅系）を製造した。
【００５９】
［実施例４］
前記実施例３で得られた親系統Ａ−１およびＡ―２と、既存品種（固定種）との交雑によりＦ１を製造し、初夢および白寿との茎長比較を行った。
【００６０】
前記親系統Ａ−１と「瀬戸の日の出」とを交雑し、ハボタンＦ１（以下、「Ａ−１Ｆ１白」という）を製造した。また、前記親系統Ａ−２と「瀬戸の舞姫」とを交雑し、ハボタンＦ１（以下、「Ａ−２Ｆ１紅」という）を製造した。
【００６１】
前記実施例１−２と同様にして、前記Ａ−１Ｆ１白、前記Ａ−２Ｆ１紅および初夢を栽培し、茎長を比較した。播種日は９月初旬とし、茎長調査は１２月初旬とした。これらの結果を、下記表６に示す。下記表６に示すように、ハボタン植物Ａ−１Ｆ１白およびＡ−２Ｆ１紅は、茎伸長にすぐれ、初夢に比べ１．３以上の茎長を示した。また、図４に、茎長調査（１２月２０日）前の１２月初旬における初夢とハボタン植物Ａ−１Ｆ１白との比較写真を示す。
【００６２】
【表６】
0006373117.tif 000007
【００６３】
［実施例５］
本発明のハボタン植物である系統Ａ（Brassica oleracea  var.  acephala  f.  tricolor、受託番号ＦＥＲＭ  Ｐ−２２２７４）、市販のハボタン品種「白寿」（品種登録番号第１５７０号、有限会社石井育種場）および「初夢」（タキイ種苗株式会社）を、年間平均気温１２〜１５℃の日本の温暖地（滋賀県）において、播種し、出荷期を比較した。
【００６４】
７月中旬、２００穴のセル成型苗育苗トレイ（商品名：タキイ根巻防止セルトレイＭ型、タキイ種苗株式会社）３枚に、培土（商品名：たねまき培土、タキイ種苗株式会社製）を充填し、前記トレイに、白寿および初夢の種子を播種した。そして、前記セル成型苗の慣行の育苗方法に準じて、それぞれを育苗した。他方、農業用ビニールハウス内の耕土に、１０アールあたり、基肥として窒素成分８ｋｇ、リン酸成分６ｋｇ、カリウム成分８ｋｇおよび苦石灰７０ｋｇを添加した後、耕耘し、幅１５０ｃｍの畝を作った。そして、８月中旬、播種してから２５日後の白寿および初夢の苗を、株間１２ｃｍ、５条植えで定植した。その結果、１２月初旬から中旬にかけて、観賞用として出荷可能な茎長となったハボタンが得られた。
【００６５】
系統Ａについては、９月初旬に播種を行った以外は、前述と同様にして、ハボタンの育種を行った。その結果、白寿および初夢と同様に、１２月初旬から中旬にかけて、観賞用として出荷可能な茎長となったハボタンが得られた。
【００６６】
これらの結果を、図５に示す。図５は、播種と出荷期を示す概略図である。このように、系統Ａは、白寿および初夢よりも１．５か月後の８月下旬に播種を開始したにもかかわらず、同時期に、観賞用として出荷可能な茎長にまで生育することができた。
【００６７】
以上、実施形態および実施例を参照して本発明を説明したが、本発明は、上記実施形態および実施例に限定されるものではない。本発明の構成や詳細には、本発明のスコープ内で当業者が理解しうる様々な変更をできる。
【産業上の利用可能性】
【００６８】
以上のように、本発明のブラシカ  オレラセア種植物は、流通しているブラシカ  オレラセア種植物と比較して、茎の伸長が速い。このため、播種から出荷までの期間を短縮できる。また、年末の出荷の場合、ブラシカ  オレラセア種植物は、通常、十分な茎長を得るには、７月中旬頃の盛夏期に播種する必要があるが、本発明の場合、前述のように、播種から出荷までの期間を短縮できるため、盛夏期を過ぎた９月頃に播種しても、年末には十分な茎長を得ることができる。このため、本発明によれば、ブラシカ  オレラセア種植物の製造における労力を低減し、市場への供給を容易にすることができる。
【図１】
0006373117.tif 000008
【図２】
0006373117.tif 000009
【図３】
0006373117.tif 000010
【図４】
0006373117.tif 000011
【図５】
0006373117.tif 000012